(57)【要約】【課題】位置変更機構により上記保持部材と上記取付部材との間に保持部材を保持部材に取り付けられた上記カメラのレンズの中心軸を変えずに水平位置又は垂直位置に位置変更することができ、水平位置又は垂直位置に容易に位置変更することができ、構造を簡素化することができ、製作コストを低減することができる。【解決手段】カメラ用三脚Ｓに取付可能な取付部材１と、カメラの三脚用ネジ穴ＭによりカメラＷを取付け可能な保持部材３とからなり、保持部材と取付部材との間に保持部材を保持部材に取り付けられたカメラのレンズの中心軸Ｏを変えずに水平位置Ｑ又は垂直位置Ｔに位置変更可能な位置変更機構５を設けてなる。【選択図】図１
2005284161.tif 000002
【特許請求の範囲】
【請求項１】
カメラ用三脚に取付可能な取付部材と、カメラの三脚用ネジ穴によりカメラを取付け可能な保持部材とからなり、上記保持部材と上記取付部材との間に該保持部材を該保持部材に取り付けられた上記カメラのレンズの中心軸を変えずに水平位置又は垂直位置に位置変更可能な位置変更機構を設けてなることを特徴とするカメラ用三脚補助具。
【請求項２】
上記位置変更機構として、上記取付部材に上記保持部材を摺動案内可能な凹状の摺動面部を設け、該摺動面部の左右内側面に案内溝部を設け、該保持部材に水平摺動部及び垂直摺動部を設けると共に該保持部材に該案内溝部に摺動可能であって該保持部材を上記カメラのレンズの中心軸を変えずに水平位置と垂直位置との間で回動案内可能な案内ロールを設けて構成したことを特徴とする請求項１記載のカメラ用三脚補助具。
【請求項３】
上記取付部材に上記保持部材を位置固定可能なロック機構を設けてなることを特徴とする請求項１又は２記載のカメラ用三脚補助具。
【発明の詳細な説明】
【技術分野】
【０００１】
本発明は例えば大型一眼レフカメラに用いられるカメラ用三脚補助具に関するものである。
【背景技術】
【０００２】
従来、この種のカメラ用三脚補助具として、カメラ用三脚に取付可能な取付部材と、カメラの三脚用ネジ穴によりカメラを取付け可能な保持部材とからなり、上記保持部材を該保持部材に取り付けられたカメラのレンズの中心軸を中心として角度回動可能な角度回動機構を設けてなる構造のものが知られている。
【特許文献１】特開平２００１−２５５５８４号公報
【発明の開示】
【発明が解決しようとする課題】
【０００３】
しかしながら上記従来構造の場合、上記角度回動機構は上記保持部材をカメラのレンズの中心軸を中心として回動させる構造となっており、任意の回動位置で固定することができるものの、構造が複雑化し易く、製作コストが高くなることがあるという不都合を有している。
【課題を解決するための手段】
【０００４】
本発明はこれらの不都合を解決することを目的とするもので、本発明のうちで、請求項１記載の発明は、カメラ用三脚に取付可能な取付部材と、カメラの三脚用ネジ穴によりカメラを取付け可能な保持部材とからなり、上記保持部材と上記取付部材との間に該保持部材を該保持部材に取り付けられた上記カメラのレンズの中心軸を変えずに水平位置又は垂直位置に位置変更可能な位置変更機構を設けてなることを特徴とするカメラ用三脚補助具にある。
【０００５】
又、請求項２記載の発明は、上記位置変更機構として、上記取付部材に上記保持部材を摺動案内可能な凹状の摺動面部を設け、該摺動面部の左右内側面に案内溝部を設け、該保持部材に水平摺動部及び垂直摺動部を設けると共に該保持部材に該案内溝部に摺動可能であって該保持部材を上記カメラのレンズの中心軸を変えずに水平位置と垂直位置との間で回動案内可能な案内ロールを設けて構成したことを特徴とするものであり、又、上記取付部材に上記保持部材を位置固定可能なロック機構を設けてなることを特徴とするものである。
【発明の効果】
【０００６】
本発明は上述の如く、請求項１記載の発明にあっては、位置変更機構により上記保持部材と上記取付部材との間に保持部材を保持部材に取り付けられた上記カメラのレンズの中心軸を変えずに水平位置又は垂直位置に位置変更することができ、水平位置又は垂直位置に容易に位置変更することができ、構造を簡素化することができ、製作コストを低減することができる。
【０００７】
又、請求項２記載の発明にあっては、上記位置変更機構として、上記取付部材に上記保持部材を摺動案内可能な凹状の摺動面部を設け、摺動面部の左右内側面に案内溝部を設け、保持部材に水平摺動部及び垂直摺動部を設けると共に保持部材に案内溝部に摺動可能であって保持部材を上記カメラのレンズの中心軸を変えずに水平位置と垂直位置との間で回動案内可能な案内ロールを設けて構成しているから、位置変更に際し、摺動面部と水平摺動部又は垂直摺動部とにより保持部材を摺動面部で摺動し、この摺動後に保持部材を回動することにより、安定的に保持部材を位置変更することができ、又、請求項３記載の発明にあっては、上記取付部材に上記保持部材を位置固定可能なロック機構を設けてなるから、保持部材を水平位置と垂直位置に確実に位置固定することができ、使用の快適性を高めることができる。
【発明を実施するための最良の形態】
【０００８】
図１乃至図１１は本発明の実施の形態例を示し、１は取付部材であって、この場合、底板１ｂにカメラ用三脚Ｓの台座Ｓ1に設けられた取付ネジＦに螺着可能な取付ネジ穴２が形成され、取付ネジＦを取付ネジ穴２に螺着することにより、カメラ用三脚Ｓの台座Ｓ1に取付部材１を着脱自在に取り付けるように構成している。尚、材質はアルミニュウムや合成樹脂により製作される。
【０００９】
３は保持部材であって、この場合、保持部材３に上記カメラＷの底面に形成された三脚用ネジ穴Ｍに螺着可能な取付ネジ４を摺動調節自在に設け、三脚用ネジ穴Ｍに取付ネジ４を螺着することによりカメラＷを取付固定するように構成している。又、材質はアルミニュウムや合成樹脂により製作される。
【００１０】
５は位置変更機構であって、上記保持部材３と上記取付部材１との間に設けられ、保持部材３を上記カメラＷのレンズの中心軸Ｏを変えずに水平位置Ｑ又は垂直位置Ｔに位置変更可能に構成されている。
【００１１】
この場合、上記位置変更機構５として、上記取付部材１に上記保持部材３を摺動案内可能な底面６ａ及び左右内側面６ｂ・６ｂからなる凹状の摺動面部６を形成し、この摺動面部６の左右内側面６ｂ・６ｂに案内溝部７・７を設け、一方、保持部材３をＬ状に形成して水平摺動部３ａ及び垂直摺動部３ｂを設けると共に保持部材３に案内溝部７・７に摺動可能であって保持部材３を上記カメラＷのレンズの中心軸Ｏを変えずに水平位置Ｑと垂直位置Ｔとの間で回動案内可能な案内ロール８・８を設けて構成している。
【００１２】
９はロック機構であって、この場合、保持部材３の側面に軸受筒３ｃを突設し、軸受筒３ｃに位置固定ピン１０を摺動及び回動自在に設け、位置固定ピン１０に案内ピン１０ａを植設し、軸受筒３ａに案内ピン１０ａが摺動可能なつる巻状の案内溝３ｄを形成し、位置固定ピン１０の基部に摘み部１０ｂを設け、保持部材の水平摺動部３ａ及び垂直摺動部３ｂの側面にカメラＷのレンズの中心軸Ｏ上にして挿入穴３ｅ・３ｆを形成し、しかして、位置固定ピン１０を正逆回動することにより案内ピン１０ａと案内溝３ｂとの作用で位置固定ピン１０を突没摺動させて位置固定ピン１０を挿入穴３ｅ又は挿入穴３ｆに挿入し、取付部材１に上記保持部材３を水平位置Ｑ又は垂直位置Ｔに位置固定可能に設けて構成している。
【００１３】
この実施の形態例は上記構成であるから、図５の如く、カメラ用三脚Ｓに取付部材１を取付け、カメラＷの三脚用ネジ穴ＭによりカメラＷを保持部材３に取付けることになり、そして、この水平位置Ｑにおいて、先ず、ロック機構９を解除し、図６から図７の如く、保持部材３を水平摺動部３ａと摺動面部６との案内作用及び案内溝部７・７と案内ロール８・８との案内作用により図中左方向に水平摺動し、案内溝部７・７の左端面に案内ロール８・８が当接した状態で、図７から図８の如く、保持部材３を案内ロール８・８を中心として右回りに回動し、ロック機構９により保持部材３を位置固定し、この回動により、図９の如く、カメラＷのレンズの中心軸Ｏを変えずに水平位置Ｑから垂直位置Ｔへと位置変更することになり、又、この垂直位置Ｑにおいて、同じく、ロック機構９を解除し、図１０の如く、保持部材３を垂直摺動部３ｂと摺動面部６との案内作用及び案内溝部７・７と案内ロール８・８との案内作用により図中右方向に水平摺動し、案内溝部７・７の右端面に案内ロール８・８が当接した状態で、図１１の如く、保持部材３を案内ロール８・８を中心として左回りに回動し、ロック機構９により保持部材３を位置固定し、この回動により、図５の如く、カメラＷのレンズの中心軸Ｏを変えずに垂直位置Ｑから水平位置Ｑへと位置変更することになる。
【００１４】
従って、上記位置変更機構５により上記保持部材３と上記取付部材１との間に保持部材３を保持部材３に取り付けられた上記カメラＷのレンズの中心軸Ｏを変えずに水平位置Ｑ又は垂直位置Ｔに位置変更することができ、水平位置Ｑ又は垂直位置Ｔに容易に位置変更することができ、構造を簡素化することができ、製作コストを低減することができる。
【００１５】
又、この場合、上記位置変更機構５として、上記取付部材１に上記保持部材３を摺動案内可能な凹状の摺動面部６を設け、摺動面部６の左右内側面に案内溝部７・７を設け、保持部材３に水平摺動部３ａ及び垂直摺動部３ｂを設けると共に保持部材３に案内溝部７・７に摺動可能であって保持部材３を上記カメラＷのレンズの中心軸Ｏを変えずに水平位置Ｑと垂直位置Ｔとの間で回動案内可能な案内ロール８・８を設けて構成しているから、位置変更に際し、摺動面部６と水平摺動部３ａ又は垂直摺動部３ｂとにより保持部材３を摺動面部６で摺動し、この摺動後に保持部材３を回動することにより、安定的に保持部材３を位置変更することができ、又、この場合、上記取付部材１に上記保持部材３を位置固定可能なロック機構９を設けてなるから、保持部材３を水平位置Ｑと垂直位置Ｔに確実に位置固定することができ、使用の快適性を高めることができる。
【００１６】
尚、本発明は上記実施の形態例に限られるものではなく、他の形状のカメラＷにも適用され、又、取付部材１や保持部材３、位置変更機構５、ロック機構９の構造や形態等は適宜設計して変更される。又、カメラＷの種類に応じて、カメラＷのレンズの中心軸Ｏの位置により保持部材３を製作すれば良いことになる。
【００１７】
以上、所期の目的を充分達成することができる。
【図面の簡単な説明】
【００１８】
【図１】本発明の実施の形態例の全体斜視図である。
【図２】本発明の実施の形態例の全体側面図である。
【図３】本発明の実施の形態例の側断面図である。
【図４】本発明の実施の形態例の平断面図である。
【図５】本発明の実施の形態例の使用状態の正面図である。
【図６】本発明の実施の形態例の説明断面図である。
【図７】本発明の実施の形態例の説明断面図である。
【図８】本発明の実施の形態例の説明断面図である。
【図９】本発明の実施の形態例の使用状態の正面図である。
【図１０】本発明の実施の形態例の説明断面図である。
【図１１】本発明の実施の形態例の説明断面図である。
【符号の説明】
【００１９】
Ｗ    カメラ
Ｑ    水平位置
Ｔ    垂直位置
１    取付部材
３    保持部材
５    位置変更機構
６    摺動面部
７    案内溝部
８    案内ロール
９    ロック機構
【図１】
2005284161.tif 000003
【図２】
2005284161.tif 000004
【図３】
2005284161.tif 000005
【図４】
2005284161.tif 000006
【図５】
2005284161.tif 000007
【図６】
2005284161.tif 000008
【図７】
2005284161.tif 000009
【図８】
2005284161.tif 000010
【図９】
2005284161.tif 000011
【図１０】
2005284161.tif 000012
【図１１】
2005284161.tif 000013